(57)【特許請求の範囲】
【請求項１】
壁軸組に設けた固定金具を介して壁軸組に固定された外壁パネルを持ち上げる際に使用されるリフターであって、該リフターは、基材と、基材の下部前面に固定されて左右方向に延びる支持材と、基材に約中間部が回転自在に連結されたアームと、からなり、外壁パネルの下方に支持材の先端部を差し込むとともに、アームの先端部を隣接する一対の壁パネルの間を経て壁軸組の相対向する縦枠間に差し入れて縦枠に形成されたエンボス部にアームの先端部を係止させ、アームを引き上げることにより、支持材に支持された外壁パネルを持ち上げることを特徴とする外壁パネルのリフター。
【発明の詳細な説明】
【０００１】
【発明の属する技術分野】
本発明は、外壁パネルのリフターに関するものである。
【０００２】
【従来の技術】
従来、各階の床梁を形成する鉄骨梁と、断面Ｃ字状のリップ溝形鋼を方形に枠組みしてなる壁軸組と、からなる鉄骨構造体を有する鉄骨系住宅が知られている。このような鉄骨系住宅において、各階の外壁には、軽量気泡コンクリートなどで形成された外壁パネルが採用され、壁軸組に固定されている。具体的には、図３に示すように、壁軸組Ｊの縦枠Ｊ１に固定金具１０を装着した後、固定金具１０の係止片１１を外壁パネルＰの裏面周縁部に設けられた断面コ字状の縁材ｐ１に差し込み、ビス１２を締め付けて係止片１１を縁材ｐ１に係止させることにより、外壁パネルＰを壁軸組Ｊに固定するようにしている（例えば、出願人の出願に係る特開平５−３２１３６８号公報参照）。
【０００３】
このようにして壁軸組Ｊに固定された外壁パネルＰは、その取付位置にばらつきが発生することから、隣接する外壁パネルＰ，Ｐによる横方向の目地を合わせる必要がある。具体的には、外壁パネルＰの下端面と鉄骨梁の上面との間にバールの先端を差し込み、固定金具１０の係止片１１による外壁パネルＰの縁材ｐ１への係止を解除した後、バールの基部側を押し下げることにより、外壁パネルＰを持ち上げて外壁パネルＰの取付高さを調整し、次いで、固定金具１０によって外壁パネルＰを固定するようにしている。
【０００４】
【発明が解決しようとする課題】
しかしながら、前述したように、バールを使用した場合は、接触面積が小さいことから、外壁パネルＰとの接触部分に割れや欠けなどの損傷を発生するおそれがある。
【０００５】
本発明は、このような問題点に鑑みてなされたものであり、外壁パネルの損傷を確実に防止して持ち上げることのできる外壁パネルのリフターを提供するものである。
【０００６】
【課題を解決するための手段】
本発明は、壁軸組に設けた固定金具を介して壁軸組に固定された外壁パネルを持ち上げる際に使用されるリフターであって、該リフターは、基材と、基材の下部前面に固定されて左右方向に延びる支持材と、基材に約中間部が回転自在に連結されたアームと、からなり、外壁パネルの下方に支持材の先端部を差し込むとともに、アームの先端部を隣接する一対の壁パネルの間を経て壁軸組の相対向する縦枠間に差し入れて縦枠に形成されたエンボス部にアームの先端部を係止させ、アームを引き上げることにより、支持材に支持された外壁パネルを持ち上げることを特徴とするものである。
【０００７】
本発明によれば、外壁パネルの下方に支持材の先端部を差し込むとともに、アームの先端部を隣接する一対の壁パネルの間を経て壁軸組の相対向する縦枠間に差し入れた後、固定金具による壁軸組に対する外壁パネルの固定を解除し、縦枠に形成されたエンボス部にアームの先端部を係止させてアームを引き上げる。この際、アームは、壁軸組の縦枠に形成されたエンボス部との接触部を支点として回動し、アームが連結されている基材および基材に固定されて支持材を合わせて引き上げることから、支持材の先端部に支持された外壁パネルも持ち上げられる。この後、左右の外壁パネルの横方向の目地を調整したならば、固定金具によって外壁パネルを固定して作業を終了する。
【０００８】
この結果、左右方向に延びる支持材を介して外壁パネルを持ち上げることが可能となり、外壁パネルの損傷を確実に防止することができる。
【０００９】
なお、リフターは、外壁パネルの左右端縁部をそれぞれ平行して持ち上げることができるように、左右用の２個を一組として使用する。
【００１０】
【発明の実施の形態】
以下、本発明の外壁パネルのリフターの実施の形態について図面を参照しつつ説明する。
【００１１】
図１には、本発明の外壁パネルのリフター１の一実施形態が示されている。
【００１２】
このリフター１は、前面部２１および側面部２２からなる断面Ｌ字状の基材２と、基材２の前面部２１の下端縁近傍に垂直部３１が溶接され、左右方向にのびる水平部３２が前方に突出された断面Ｌ字状の支持材３と、基材２の側面部２２の上部に、略中間部がボルトナットを介して回転自在に連結されたアーム４と、から構成されている。そして、基材２の前面部２１の前面には、クッションゴム５が貼着されており、外壁パネルＰの外面と基材２の前面部２１とが直接接触することが防止されている。また、支持材３の水平部３２の先端は、くさび状に形成されており、このため、後述するように、外壁パネルＰの下端面下方に支持材３の水平部３２を容易に差し込むことができる。
【００１３】
アーム４は、その先端部を隣接する外壁パネルＰ，Ｐ間の隙間に挿通することができるとともに、隣接する一対の壁軸組Ｊ，Ｊにおいて、相対向する縦枠Ｊ１，Ｊ１間の隙間に挿通することができるように、厚みが設定されている。具体的には、パイプの先端部を潰して平板状に形成したものを縦長方向に向けて基材２に連結されている。
【００１４】
また、基材２に対するアーム４の取付位置は、壁軸組Ｊの縦枠Ｊ１に形成されたエンボスＪａ（図２参照）に対応して決定されている。すなわち、後述するように、アーム４の先端部を隣接する一対の壁軸組Ｊの縦枠Ｊ１間の隙間に差し入れた際、エンボス部Ｊａの上方に位置するように設定されている。
【００１５】
なお、図１に示したリフター１は、調整対象の外壁パネルＰに向かってその左端縁部を持ち上げる際に使用されるものであり、その外壁パネルＰの右端縁部を持ち上げるリフター１は、詳細には図示しないが、基材２に対して支持材２を図１に示したものと左右対称に配置したものである。
【００１６】
また、壁軸組Ｊの縦枠Ｊ１には、その上下両端部近傍において、外方に突出するエンボス部Ｊａが形成されており、このエンボス部Ｊａに形成されたボルト穴にボルトを挿通してナットで締め付けることにより、隣接する壁軸組Ｊ，Ｊの相対向する縦枠Ｊ１，Ｊ１を連結することができる。
【００１７】
このように構成されたリフター１を使用して外壁パネルＰの高さを調整する場合は、左右一対のリフター１，１の各アーム４の先端部を、調整対象の外壁パネルＰを挟むように、それぞれ隣接する外壁パネルＰ，Ｐ間の隙間を経て隣接する一対の壁軸組Ｊ，Ｊの相対向する縦枠Ｊ１，Ｊ１間の隙間に差し入れるとともに、支持材３の水平部３２を外壁パネルＰの下端面と鉄骨梁Ｈとの間の隙間に差し込む（図２参照）。
【００１８】
この際、基材２の前面部２１の前面には、クッションゴム５が貼着されているため、支持材３の差し込み時、外壁パネルＰの表面に直接基材２が接触することが防止される。
【００１９】
次いで、ビス１２を緩めて固定金具１０による外壁パネルＰの係止を解除した後、アーム４の基部を把握して上方に引き上げれば、アーム４の先端部は、壁軸組Ｊの縦枠Ｊ１のエンボス部Ｊａに支持され、その接触部を支点としてアーム４は上方に回動する。アーム４の回動は、アーム４が連結された基材２および基材２に固定された支持材３を上方に持ち上げることから、支持材３の水平部３２に下端面が支持された外壁パネルＰもまた上方に持ち上げられることになる。
【００２０】
したがって、持ち上げ量を調整することにより、外壁パネルＰの横方向の目地を合わせることができる。この後、目地合わせが終了すれば、ビス１２を締め付け、固定金具１０の係止片１１を外壁パネルＰの縁材ｐ１に係止させて外壁パネルＰを固定すればよい。
【００２１】
この結果、外壁パネルＰを、該外壁パネルの幅方向である左右方向に延びる支持材３の水平部３２で支持して持ち上げることができることから、外壁パネルＰの下端部に割れなどの損傷が発生するのを確実に防止することができる。
【００２２】
【発明の効果】
以上のように本発明によれば、外壁パネルの下方に支持材の先端部を差し込むとともに、アームの先端部を隣接する一対の壁パネルの間を経て壁軸組の相対向する縦枠間に差し入れて縦枠に形成されたエンボス部にアームの先端部を係止させ、アームを引き上げることにより、支持材に支持された外壁パネルを持ち上げることができ、外壁パネルの高さを調整することができる。この際、外壁パネルは、左右方向に延びる支持材を介して持ち上げられることから、外壁パネルの損傷を確実に防止することができる。
【図面の簡単な説明】
【図１】本発明の外壁パネルのリフターを示す斜視図である。
【図２】本発明の外壁パネルのリフターを用いて外壁パネルの調整作業状態を説明する側面図である。
【図３】外壁パネルを固定金具を用いて固定した状態を示す平面図である。
【符号の説明】
１  リフター
２  基材
３  支持材
４  アーム
５  クッションゴム
１０  固定金具
１１  係止片
Ｐ  外壁パネル
Ｊ  壁軸組
Ｊ１  縦枠
Ｊａ  エンボス部
【図１】
0003758968.tif 000002
【図２】
0003758968.tif 000003
【図３】
0003758968.tif 000004